(57)【要約】【課題】悪意のある者からのアクセスを禁止することで、情報の漏洩を防止することができる通信装置を提供する。【解決手段】無線ネットワークに接続する機能を有する無線部５および第２のＬＡＮ制御部６と、有線ネットワークからのデータおよび第２のＬＡＮ制御部６からのデータの一方を選択する切り替え部４と、切り替え部４からの出力されたデータを入力する第１のＬＡＮ制御部９と、切り替え部４が第２のＬＡＮ制御部６からのデータを選択したときに、無線ネットワークからの設定要求通知による設定変更を禁止または制限する制御部１１とを備えた。第２のＬＡＮ制御部６は、第１のＬＡＮ制御部９とリンク状態情報を制御部１１に通知することで、制御部１１は、設定要求通知が無線ネットワークから受信されたものか否かを判定する。【選択図】図１
2006086562.tif 000002
【特許請求の範囲】
【請求項１】
無線ネットワークに接続可能な無線ネットワーク制御手段と、
有線ネットワークからのデータおよび前記無線ネットワーク制御手段からのデータの一方を選択する切り替え手段と、
前記切り替え手段からの出力されたデータを入力する有線ネットワーク制御手段と、
前記切り替え手段が前記無線ネットワーク制御手段からのデータを選択したときに、前記無線ネットワークからの設定要求通知による設定変更を禁止または制限する制御手段とを備えたことを特徴とする通信装置。
【請求項２】
前記無線ネットワーク制御手段は、前記有線ネットワーク制御手段と接続していることを示す接続状態情報を前記制御手段へ通知する機能を有し、
前記制御手段は、前記接続状態情報に基づいて、前記無線ネットワークからの前記設定要求通知による設定変更を禁止または制限する機能を有することを特徴とする請求項１記載の通信装置。
【請求項３】
前記接続状態情報は、イーサネット（登録商標）のリンクの状態情報であることを特徴とする請求項２記載の通信装置。
【請求項４】
前記切り替え手段は、前記無線ネットワーク制御手段からのデータを選択したことを示す選択状態情報を前記制御手段へ通知する機能を有し、
前記制御手段は、前記選択状態に基づいて前記無線ネットワークからの前記設定要求通知による設定変更を禁止または制限する機能を有することを特徴とする請求項１記載の通信装置。
【請求項５】
無線ネットワークに接続可能な無線ネットワーク制御手段からのデータと、有線ネットワークからのデータとのどちらか一方を切り替え手段により選択し、
前記切り替え手段からの出力が、前記無線ネットワーク制御手段からのデータを選択したときに、前記無線ネットワークからの設定要求通知による設定変更を制御手段が禁止または制限することを特徴とする通信装置の制御方法。
【請求項６】
前記無線ネットワーク制御手段が、前記有線ネットワーク制御手段と接続したことを示す接続状態情報を前記制御手段に通知し、
前記制御手段が、前記接続状態情報に基づいて前記無線ネットワークからの前記設定要求通知による設定変更を禁止または制限することを特徴とする請求項５記載の通信装置の制御方法。
【請求項７】
前記制御手段が、前記接続状態情報であるイーサネット（登録商標）のリンクの状態情報に基づいて前記無線ネットワークからの前記設定要求通知による設定変更を禁止または制限することを特徴とする請求項６記載の通信装置の制御方法。
【請求項８】
前記切り替え手段が、前記無線ネットワーク制御手段からのデータを選択したことを示す選択状態情報を前記制御手段に通知し、
前記制御手段が、前記選択状態情報に基づいて、前記無線ネットワークから受信された前記設定要求通知による設定変更を禁止または制限することを特徴とする請求項５記載の通信装置の制御方法。
【発明の詳細な説明】
【技術分野】
【０００１】
本発明は、無線ネットワークと有線ネットワークの両方に接続可能な通信装置およびその制御方法に関する。
【背景技術】
【０００２】
無線ネットワークに接続することが可能な通信装置の一例として、デジタルカメラではあるが特許文献１に記載されている。しかし、通信装置として無線ネットワークに接続できたり、有線ネットワークと接続できたりした方が、様々な使用環境に対応でき、使用者の利便性の向上を図ることができる。そこでケーブルをルータやモデムと接続してインターネットと通信する有線ネットワークを制御する機能と、電波でアクセスポイントと接続してインターネットと通信する無線ネットワークを制御する機能の両方を備えたものが増えつつある。
【０００３】
この両方の機能を備えた通信装置は、購入した直後の状態では、使用環境に応じた設定がなされていない。例えば、ネットワークに接続するための設定として、ＩＰアドレスや、サブネットマスクなどや、無線ネットワーク関連では、ＳＳＩＤ（Service Set Identifier）や、暗号鍵などの設定を入力する必要がある。
【０００４】
一方、通信装置は小型化が益々進んでおり、表示画面やキーボードを持たないものが少なくない。このような通信装置を設定する場合には、無線ネットワークまたは有線ネットワークを介して端末装置を通信装置に接続して、設定用のツールなどで各種の設定を行う。
【０００５】
この設定用のツールは、有線または無線ネットワークに接続された端末装置上で実行され、ブロードキャストパケットを送信して、返信されたパケットのＭＡＣアドレスにより、設定すべき通信装置を識別し、設定内容を指示した設定要求通知を送信することで、設定変更を行うものである。
【特許文献１】特開２００４−９６１７９号公報
【発明の開示】
【発明が解決しようとする課題】
【０００６】
しかし、通信装置を購入した直後の状態では、上述したように、使用環境に応じた設定がなされていないばかりか、メーカによる初期値が設定されているので、悪意のある者がネットワーク経由で、このメーカによる初期値を利用して通信装置へアクセスして都合のよい設定にしてしまうという可能性がある。
【０００７】
そうした場合に、悪意のある者が外部のインターネットから有線ネットワーク経由で浸入することは、ルータなどでファイアウォールを構築していたりするので容易ではない。また、同じセグメントのネットワーク内に接続すれば容易に設定することはできるが、通信装置が一般家庭で使用されている場合には、家の中まで入り込んで、家庭内の有線ネットワークに接続することになるので、セキュリティの面では安全であると思われる。
【０００８】
しかし、無線ネットワークを介して接続する場合は、宅外から操作することができ、出荷直後の設定では初期の設定値となっているため、通信電波は暗号化もなされておらず、ＳＳＩＤも設定されていないため、その通信装置の出荷直後の初期設定値を知っているものであれば、宅外から無線電波を受信して容易に設定することが可能である。
【０００９】
従って、個人情報が簡単に漏れることになり、その情報から被害が拡大するというおそれもある。
【００１０】
そこで、本発明の解決しようとする課題は、購入直後の初期状態において悪意のある者からのアクセスを禁止することで、情報の漏洩を防止することができる通信装置およびその制御方法を提供することを目的とする。
【課題を解決するための手段】
【００１１】
本発明の通信装置は、無線ネットワークに接続可能な無線ネットワーク制御手段と、有線ネットワークからのデータおよび前記無線ネットワーク制御手段からのデータの一方を選択する切り替え手段と、前記切り替え手段からの出力されたデータを入力する有線ネットワーク制御手段と、前記切り替え手段が前記無線ネットワーク制御手段からのデータを選択したときに、前記無線ネットワークからの設定要求通知による設定変更を禁止または制限する制御手段とを備えたことを特徴とする。
【００１２】
また、本発明の通信装置の制御方法は、無線ネットワークに接続可能な無線ネットワーク制御手段からのデータと、有線ネットワークからのデータとのどちらか一方を切り替え手段により選択し、前記切り替え手段からの出力が、前記無線ネットワーク制御手段からのデータを選択したときに、前記無線ネットワークからの設定要求通知による設定変更を制御手段が禁止または制限することを特徴とする。
【発明の効果】
【００１３】
本発明の通信装置によれば、無線ネットワークからの設定の変更を要求する通知を規制することで、悪意のある者からのアクセスを禁止することができるので、情報の漏洩を防止することができる。
【発明を実施するための最良の形態】
【００１４】
本願の第１の発明は、無線ネットワークに接続可能な無線ネットワーク制御手段と、有線ネットワークからのデータおよび無線ネットワーク制御手段からのデータの一方を選択する切り替え手段と、切り替え手段からの出力されたデータを入力する有線ネットワーク制御手段と、切り替え手段が無線ネットワーク制御手段からのデータを選択したときに、無線ネットワークからの設定要求通知による設定変更を禁止または制限する制御手段とを備えたことを特徴としたものである。
【００１５】
切り替え手段が、無線ネットワークに接続可能な無線ネットワーク制御手段からのデータと、有線ネットワークからのデータとのどちらか一方を選択したときに、制御手段が、無線ネットワークの設定要求通知による設定変更を禁止または制限する。設定変更の禁止または制限とは、設定変更の一部または全部の変更を禁止することをいう。つまり、宅外から無線ネットワークを介して接続して、設定の一部または全部の変更を行おうとしても、その設定要求通知の設定変更に応じて設定が制限されるので、悪意のある者からのアクセスを禁止することで、情報の漏洩を防止することができる。
【００１６】
本願の第２の発明は、無線ネットワーク制御手段は、有線ネットワーク制御手段と接続していることを示す接続状態情報を制御手段へ通知する機能を有し、制御手段は、接続状態情報に基づいて、無線ネットワークからの設定要求通知による設定変更を禁止または制限する機能を有することを特徴としたものである。
【００１７】
有線ネットワーク制御手段からは、切り替え手段が無線ネットワーク制御手段または有線ネットワークのいずれかと接続しているかわからない。従って、無線ネットワーク制御手段から有線ネットワーク制御手段との接続状態を制御手段へ通知することにより、設定
要求通知を、無線ネットワークから受信したものか、有線ネットワークから受信したものかが、制御手段側で判断できる。
【００１８】
本願の第３の発明は、接続状態情報は、イーサネット（登録商標）のリンクの状態情報であることを特徴としたものである。
【００１９】
接続状態情報を、イーサネット（登録商標）のリンクの状態情報とすることで、接続状態を有線ネットワーク制御手段と無線ネットワーク制御手段との間で複雑な手順で通信することなく、容易に把握することができる。
【００２０】
本願の第４の発明は、切り替え手段は、無線ネットワーク制御手段からのデータを選択したことを示す選択状態情報を制御手段へ通知する機能を有し、制御手段は、選択状態に基づいて無線ネットワークからの設定要求通知による設定変更を禁止または制限する機能を有することを特徴としたものである。
【００２１】
有線ネットワーク制御手段からは、切り替え手段が無線ネットワーク制御手段または有線ネットワークのいずれかと接続しているかわからない。従って、切り替え手段から無線ネットワーク制御手段のデータを選択したことを示す選択状態情報を制御手段へ通知することにより、設定要求通知が、無線ネットワークから受信したものか、有線ネットワークから受信したものかが、制御手段側で判断できる。
【００２２】
本願の第５の発明は、無線ネットワークに接続可能な無線ネットワーク制御手段からのデータと、有線ネットワークからのデータとのどちらか一方を切り替え手段により選択し、切り替え手段からの出力が、無線ネットワーク制御手段からのデータを選択したときに、無線ネットワークからの設定要求通知による設定変更を制御手段が禁止または制限することを特徴としたものである。
【００２３】
切り替え手段が、無線ネットワークに接続可能な無線ネットワーク制御手段からのデータと、有線ネットワークからのデータとのどちらか一方を選択したときに、制御手段が、無線ネットワークの設定要求通知による設定変更を禁止または制限する。設定変更の禁止または制限とは、設定変更の一部または全部の変更を禁止することをいう。つまり、宅外から無線ネットワークを介して接続して、設定の一部または全部の変更を行おうとしても、その設定要求通知の設定変更に応じて設定が制限されるので、悪意のある者からのアクセスを禁止することで、情報の漏洩を防止することができる。
【００２４】
本願の第６の発明は、無線ネットワーク制御手段が、有線ネットワーク制御手段と接続したことを示す接続状態情報を制御手段に通知し、制御手段が、接続状態情報に基づいて無線ネットワークからの設定要求通知による設定変更を禁止または制限することを特徴としたものである。
【００２５】
有線ネットワーク制御手段からは、切り替え手段が無線ネットワーク制御手段または有線ネットワークのいずれかと接続しているかわからない。従って、無線ネットワーク制御手段から有線ネットワーク制御手段との接続状態を制御手段へ通知することにより、設定要求通知を、無線ネットワークから受信したものか、有線ネットワークから受信したものかが、制御手段側で判断できる。
【００２６】
本願の第７の発明は、制御手段が、接続状態情報であるイーサネット（登録商標）のリンクの状態情報に基づいて無線ネットワークからの設定要求通知による設定変更を禁止または制限することを特徴としたものである。
【００２７】
接続状態情報を、イーサネット（登録商標）のリンクの状態情報とすることで、接続状態を有線ネットワーク制御手段と無線ネットワーク制御手段との間で複雑な手順で通信することなく、容易に把握することができる。
【００２８】
本願の第８の発明は、切り替え手段が、無線ネットワーク制御手段からのデータを選択したことを示す選択状態情報を制御手段に通知し、制御手段が、選択状態情報に基づいて、無線ネットワークから受信された設定要求通知による設定変更を禁止または制限することを特徴としたものである。
【００２９】
有線ネットワーク制御手段からは、切り替え手段が無線ネットワーク制御手段または有線ネットワークのいずれかと接続しているかわからない。従って、切り替え手段から無線ネットワーク制御手段のデータを選択したことを示す選択状態情報を制御手段へ通知することにより、設定要求通知が、無線ネットワークから受信したものか、有線ネットワークから受信したものかが、制御手段側で判断できる。
【００３０】
（実施の形態１）
本発明の実施の形態に係る通信装置を、ネットワークカメラを例に図に基づいて説明する。図１は、本発明の実施の形態に係る通信装置の一例であるネットワークカメラを説明する構成図である。図２は本発明の実施の形態に係るネットワークカメラの底面を示す斜視図である。図３は、本発明の実施の形態に係る通信装置の切り替え部の構成を説明する図である。
【００３１】
図１に示すように、通信装置の一例であるネットワークカメラ１は、電波を介してネットワークに接続する無線ネットワーク部２と、カメラ機能を含み有線であるケーブルを介してネットワークに接続する有線ネットワーク部３と、ネットワークからのデータの切り替えを行う切り替え部４とから構成される。
【００３２】
無線ネットワーク部２は、無線部５と、第２のＬＡＮ制御部６とから構成される。
【００３３】
無線部５は、ネットワークカメラ１の筐体から突出させて設けられたアンテナ５ａから受信した２．４ＧＨｚのＩＳＭ（Industry Science Medical band）バンドと呼ばれる周波数帯の電波をデジタル信号へ変換して第２のＬＡＮ制御部６へ出力する。また第２のＬＡＮ制御部６からのデジタル信号を入力して電波として出力する。
【００３４】
第２のＬＡＮ制御部６は、無線部５から入力した信号をイーサネット（登録商標）のフレームデータとして出力する。また後述する第１のＬＡＮ制御部９から切り替え部４を介して入力したイーサネット（登録商標）のフレームデータを無線部５へ出力する。無線部５と第２のＬＡＮ制御部６とで無線ネットワーク制御手段を構成している。また、第２のＬＡＮ制御部６は、切り替え部４を介して第１のＬＡＮ制御部９とリンク状態にあるときに、このリンク状態をリンク状態通知線１２により接続状態情報を通知する。このリンク状態とは、イーサネット（登録商標）で接続する装置間でリンクパルスを出して通信相手との接続状態を判定し、接続状態であるときの状態をいう。
【００３５】
第２のＬＡＮ制御部６は、リンク状態通知線１２を、例えば、リンク状態であれば、電圧レベルをＬレベルと、非リンク状態であればＨレベルと異なる電圧レベルとすることで、容易に接続状態情報を第１のＬＡＮ制御部９へ通知することができる。接続状態情報は、異なる電圧レベルとして通知することの他に、リンク状態および非リンク状態が通知できればよいので、リンク状態通知線１２をＲＳ−２３２Ｃのようなシリアルインタフェースとしてデータ通信で通知するようにしてもよい。また、複数の通信線でリンク状態通知線１２を構成するようにして、パラレルインタフェースとして通信するようにしてもよい
。
【００３６】
有線ネットワーク部３は、受像部７と画像加工部８と、第１のＬＡＮ制御部９と、記憶部１０と、制御部１１とから構成される。
【００３７】
受像部７は、ＣＣＤ（Charge Coupled Devices：電荷結合素子）やＣＭＯＳ（Complementary Metal Oxide Semiconductor）センサなどの撮像素子であり、光をアナログ信号へ変換する。
【００３８】
画像加工部８は、受像部７からのアナログ信号に基づいてＪＰＥＧ（Joint Photographic Experts Group）形式の画像データに変換する。
【００３９】
第１のＬＡＮ制御部９は、切り替え部４から入力したイーサネット（登録商標）のフレームデータを制御部１１へ出力する。また、制御部１１から入力したデータを切り替え部４へ出力する有線ネットワーク制御手段である。
【００４０】
記憶部１０は、制御部１１が実行するプログラムや、ネットワークカメラ１が動作するのに必要な各種設定が格納されている。例えば、ネットワークの接続に関連する設定としては、ＩＰアドレスや、サブネットマスクや、無線ネットワーク関連では、ＳＳＩＤや、暗号鍵がある。なお、無線ネットワーク関連の設定値は記憶部１０にではなく、無線ネットワーク部２に格納させても良い。
【００４１】
制御部１１は、画像加工部８から入力した画像データを、第１のＬＡＮ制御部９へ出力する。また、第１のＬＡＮ制御部９からデータを入力して、その入力したデータに応じて処理を行う。また、制御部１１は、第２のＬＡＮ制御部６からリンク状態通知線１２により通知される接続状態情報により、設定要求通知による設定変更を禁止または制限する機能を有している。
【００４２】
切り替え部４は、第２のＬＡＮ制御部６からのイーサネット（登録商標）のフレームデータと、インターネット２０からケーブル２１を介して受信したイーサネット（登録商標）フレームデータとを切り替えて第１のＬＡＮ制御部９へ出力する切り替え手段である。使用者は、ケーブル２１を介してインターネット２０へ接続する有線ネットワークを使用する場合には有線ネットワーク側、電波を介してインターネット２０へ接続する無線ネットワークを使用する場合には無線ネットワーク側を選択する。
【００４３】
ここで、切り替え部４の一例を図２よび図３に基づいて詳細に説明する。切り替え部４は、例えば使用者が手操作でつまみ４ｅを動かすことによって切り替えることが可能な４回路２接点のスイッチである。図２に示すように、ネットワークカメラの底面につまみ４ｅが設けられている。
【００４４】
図３に示すように、イーサネット（登録商標）の１０ＢＡＳＥ−Ｔや１００ＢＡＳＥ−Ｔは、送信データと受信データとがそれぞれ正信号と負信号で対となる信号で伝送するように規定されている。つまり、送信データを正信号であるＴＸ＋と負信号であるＴＸ−で伝送し、受信データを正信号であるＲＸ＋と負信号であるＲＸ−で伝送するので、４回路２接点のスイッチである切り替え部４は、このそれぞれを切り替えるためスイッチ４ａ〜４ｄの４回路のスイッチが使用されている。この４個のスイッチは、一方へ切り替えると、全てのスイッチが同方向へ連動して切り替わる。このようなスイッチ４ａ〜４ｄにより、第２のＬＡＮ制御部６と接続するＴＸ＋，ＴＸ−，ＲＸ＋，ＲＸ−と、インターネット２０と接続するケーブル２１のＴＸ＋，ＴＸ−，ＲＸ＋，ＲＸ−とを選択して、第１のＬＡＮ制御部９と接続するＴＸ＋，ＴＸ−，ＲＸ＋，ＲＸ−としている。
【００４５】
以上のように構成される本発明の実施の形態に係る通信装置の一例であるネットワークカメラの動作を図４に基づいて説明する。図４は、本発明の実施の形態に係る通信装置の一例であるネットワークカメラの動作を説明するフローチャートである。
【００４６】
図４に示すように、制御部１１は、第１のＬＡＮ制御部９からのデータ受信待ちをする（Ｓ１００）。そして、第１のＬＡＮ制御部９から受信した旨の通知を制御部１１が受信すると、その通知が設定要求通知か否かを判定する（Ｓ１１０）。
【００４７】
Ｓ１１０にて設定要求通知でないと制御部１１が判定した場合には、その受信したデータの内容に応じて他の処理を行う（Ｓ１２０）。
【００４８】
Ｓ１１０にて設定要求通知であると制御部１１が判定した場合には、第２のＬＡＮ制御部６からリンク状態通知線１２により通知される接続状態情報により、第１のＬＡＮ制御部９と、第２のＬＡＮ制御部６とのリンク状態を判定する。つまり、制御部１１は、第１のＬＡＮ制御部９が受信した設定要求通知が、有線ネットワークからケーブル２１を介して受信したものか、無線ネットワークから電波を介して受信したものかを判定する（Ｓ１３０）。
【００４９】
Ｓ１３０にて、第１のＬＡＮ制御部９と、第２のＬＡＮ制御部６とのリンク状態が接続状態であると判定された場合には、何もせずにこの処理を終了する。従って、制御部１１は、第１のＬＡＮ制御部９が受信した設定要求通知が、図示しない無線アクセスポイントから電波を介して受信したものであるので、設定要求通知による設定変更を受け付けない。
【００５０】
Ｓ１３０にて、第１のＬＡＮ制御部９と、第２のＬＡＮ制御部６とのリンク状態が接続状態でないと判定された場合には、制御部１１は、第１のＬＡＮ制御部９が受信した設定要求通知が、インターネット２０からケーブル２１を介して受信した有線ネットワークからのものであるので、その要求通知の内容に応じてＩＰアドレスや、サブネットマスクや、無線ネットワーク関連では、ＳＳＩＤや、暗号鍵や、カメラにアクセスするためのＩＤやパスワードなどの設定を工場出荷直後の初期値からの設定変更を行う（Ｓ１４０）。
【００５１】
以上のように、第１のＬＡＮ制御部９と第２のＬＡＮ制御部６とのリンク状態を、第２のＬＡＮ制御部６からリンク状態通知線１２により通知される接続状態情報により制御部１１が判定することで、無線ネットワークからの設定変更を禁止するので、悪意のある者からのアクセスを禁止することができる。従って、情報の漏洩を防止することができる。
【００５２】
本実施の形態では、無線ネットワークからの設定要求通知による設定変更を禁止とするようにしたが、設定変更の項目に応じて制限するようにしてもよい。切り替え部４の一例を図２よび図３に基づいて詳細に説明する。また本実施の形態では、切り替え部４は使用者が手操作でつまみを動かすことによって切り替えることが可能な手動スイッチであるが、ソフト制御によって切り替わる電子的スイッチとしても良い。
【００５３】
（実施の形態２）
次に、本発明の他の実施の形態に係る通信装置を図５および図６に基づいて説明する。図５は、本発明の他の実施の形態に係る通信装置の一例であるネットワークカメラを説明する構成図である。図６は、本発明の他の実施の形態に係る通信装置の切り替え部の構成を説明する図である。なお、図５において、図１と同じ構成のものは同符号を付して説明は省略する。
【００５４】
図５に示すように、本発明の他の実施の形態に係るネットワークカメラ１５は、第２のＬＡＮ制御部６からのデータまたはインターネット２０からのデータのいずれかを切り替え部１６が選択したかを示す情報である選択状態情報に基づいて設定要求通知を禁止または制限するものである。
【００５５】
この選択状態情報は、切り替え部１６と制御部１１とを接続する選択情報通知線１７により切り替え部１６から制御部１１へ通知される。ここで、切り替え部１６の一例を図６に基づいて詳細に説明する。
【００５６】
図６に示すように、切り替え部１６は、５回路２接点のスイッチを使用している。このうち４回路のスイッチ１６ａ〜１６ｄは、図３に示される切り替え部４と同様に送信信号および受信信号を切り替えるものである。そして残りの１回路であるスイッチ１６ｅは、第２のＬＡＮ制御部６側かインターネット２０側かのいずれを切り替え部１６が選択しているかを示すスイッチとして使用されている。スイッチ１６ｅの第２のＬＡＮ制御部６側となる方をグランドと接続することで、切り替え部１６が無線ネットワーク側である第２のＬＡＮ制御部６側を選択していると、選択情報通知線１７がグランドレベルとなるので、制御部１１でその電圧値を監視すれば、切り替え部１６がどちらを選択しているかが、制御部１１側で容易に判別することができる。
【００５７】
そして、第２のＬＡＮ制御部６側を選択している場合に、設定要求通知が第１のＬＡＮ制御部９から制御部１１へ通知されると、制御部１１はこの設定要求通知による設定変更を禁止または制限する。
【００５８】
このように、切り替え部１６に、切り替え部１６が第２のＬＡＮ制御部６からのフレームデータか、インターネット２０からのフレームデータのいずれかを選択しているかを通知するスイッチ１６ｅを備えたものとすることで、スイッチの規模が大きくなるが選択状態を制御部１１へ容易に通知することができる。切り替え部１６のスイッチの規模が大きくなりネットワークカメラの小型化に支障をきたすようであれば、図１および図３に示すように、リンク状態を通知する第２のＬＡＮ制御部６を採用することで、切り替え部としてスイッチの規模を大きいものとすることなく、上述したように制御部１１は切り替え部４の状態を認識することができる。
【００５９】
以上、本発明の実施の形態について説明してきたが、本発明は前記実施の形態に限定されるものではない。例えば、切り替え部として各信号を機械的に切り替えるスイッチを用いたが、切り替え部として、１個のスイッチと、そのスイッチのＯＮ−ＯＦＦの状態で、各信号を電気的に切り替えるようにした電気回路とを備えるようにしてもよい。
【産業上の利用可能性】
【００６０】
本発明は、悪意のある者からのアクセスを禁止することで、情報の漏洩を防止することができるので、無線ネットワークと有線ネットワークの両方に接続可能な通信装置に好適である。
【図面の簡単な説明】
【００６１】
【図１】本発明の実施の形態に係る通信装置の一例であるネットワークカメラを説明する構成図
【図２】本発明の実施の形態に係るネットワークカメラの底面を示す斜視図
【図３】本発明の実施の形態に係る通信装置の切り替え部の構成を説明する図
【図４】本発明の実施の形態に係る通信装置の一例であるネットワークカメラの動作を説明するフローチャート
【図５】本発明の他の実施の形態に係る通信装置の一例であるネットワークカメラを説明する構成図
【図６】本発明の他の実施の形態に係る通信装置の切り替え部の構成を説明する図
【符号の説明】
【００６２】
１，１５    ネットワークカメラ
２    無線ネットワーク部
３    有線ネットワーク部
４，１６    切り替え部
４ａ〜４ｄ，１６ａ〜１６ｅ    スイッチ
５    無線部
５ａ    アンテナ
６    第２のＬＡＮ制御部
７    受像部
８    画像加工部
９    第１のＬＡＮ制御部
１０    記憶部
１１    制御部
１２    リンク状態通知線
１７    選択情報通知線
２０    インターネット
２１    ケーブル
【図１】
2006086562.tif 000003
【図２】
2006086562.tif 000004
【図３】
2006086562.tif 000005
【図４】
2006086562.tif 000006
【図５】
2006086562.tif 000007
【図６】
2006086562.tif 000008